【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
連鎖された拡張可能な記憶システムのデータにアクセスする方法であって、
１つまたは複数の記憶装置のプライマリ・エージェントによって、ホスト・インターフェース・ネットワークを介して前記プライマリ・エージェントに結合されたホスト装置からホスト要求を受信するステップであって、前記要求は、前記１つまたは複数の記憶装置の論理アドレスにアクセスするためのものである、ステップと、
前記論理アドレスに基づいて、前記プライマリ・エージェントによって、前記１つまたは複数の記憶装置の少なくとも１つにおいて対応する物理アドレスを決定するステップと、
前記物理アドレスに基づいて、前記プライマリ・エージェントによって、前記ホスト要求、および前記１つまたは複数の記憶装置の少なくとも１つにおいて決定された対応する物理アドレスのそれぞれに対応するサブ要求を生成するステップと、
前記ホスト装置から独立して動作可能な記憶装置インターフェース・ネットワークを介して前記プライマリ・エージェントによって、前記少なくとも１つの記憶装置に前記サブ要求を送信するステップであって、前記記憶装置インターフェース・ネットワークは、前記プライマリ・エージェントに前記記憶装置を結合するピアツーピア・ネットワークである、ステップと、
前記少なくとも１つの記憶装置から前記プライマリ・エージェントによって、前記サブ要求に応じたそれぞれのサブ状態を受信し、それぞれの各サブ状態に基づいて全体的な状態を決定し、前記ホスト装置に前記全体的な状態を提供するステップ
を含み、
前記ホスト装置は、ネットワーク・スイッチを用いずに、前記１つまたは複数の記憶装置に結合される、方法。
【請求項２】
前記記憶装置インターフェース・ネットワークは、前記ホスト・インターフェース・ネットワークに直接的にアクセス可能ではなく、
前記記憶装置のそれぞれによって、前記記憶装置インターフェース・ネットワークから離れている前記ホストとのそれぞれ独立したデータ通信経路を介してデータ通信を送信するステップ
をさらに含み、
前記ホスト装置と前記記憶装置との間の制御トラフィックは、前記ホスト装置と前記プライマリ・エージェントとの間だけにあり、データ通信帯域幅は、記憶装置の数に合わせて拡張する、請求項１に記載の方法。
【請求項３】
前記ホスト・インターフェース・ネットワークおよび前記記憶装置インターフェース・ネットワークは、バックプレーン、１つまたは複数の銅ケーブル、１つまたは複数の光ファイバ、１つまたは複数の同軸ケーブル、１つまたは複数のツイストペア銅線のうちの少なくとも１つを含む伝送媒体を含む、請求項１または２に記載の方法。
【請求項４】
前記１つまたは複数の記憶装置のサブセットにより高い帯域幅の記憶装置インターフェース・ネットワーク接続を選択的に提供するステップであって、前記１つまたは複数の記憶装置の前記サブセットは、前記ホスト装置の近くに配置された１つまたは複数の記憶装置を含む、ステップ
をさらに含む、請求項１〜３のいずれかに記載の方法。
【請求項５】
前記ホスト・インターフェース・ネットワークは周辺機器相互接続エクスプレス（ＰＣＩ−Ｅ）Ｇｅｎ４ネットワークを含み、前記記憶装置の相互接続ネットワークは、ＰＣＩ−ＥＧｅｎ３ネットワークと、イーサネット・ネットワークと、シリアル・アタッチト・スモール・コンピュータ・システム・インターフェース（ＳＡＳ）ネットワークと、シリアル・アドバンスト・テクノロジー・アタッチメント（ＳＡＴＡ）ネットワークとのうちの１つ以上を含む、請求項１〜４のいずれかに記載の方法。
【請求項６】
リダンダント・アレイ・オブ・インデペンデント・ディスクス（ＲＡＩＤ）システムにおいて前記１つまたは複数の記憶装置を用いることをさらに含み、前記１つまたは複数の記憶装置は、半導体ディスク（ＳＳＤ）と、ハード・ディスク・ドライブ（ＨＤＤ）と、磁気抵抗ランダム・アクセス・メモリ（ＭＲＡＭ）と、テープ・ライブラリと、磁気および半導体のハイブリッド記憶システムとのうちの少なくとも１つを含む、請求項１〜５のいずれかに記載の方法。
【請求項７】
前記１つまたは複数の記憶装置の集合的な提供可能な帯域幅に関係する前記ホスト・インターフェース・ネットワークに帯域幅を提供するステップをさらに含み、
前記記憶装置インターフェース・ネットワークは、１つまたは複数の物理リンクを含み、各リンクは、独立した帯域幅を有し、
前記１つまたは複数の物理リンクのそれぞれは、（ｉ）制御データを転送するための比較的低い帯域幅の側波帯結合、および（ｉｉ）ユーザ・データを転送するための比較的高い帯域幅の主要な帯域結合を含む、請求項１〜６のいずれかに記載の方法。
【請求項８】
前記提供するステップは、前記記憶装置のそれぞれに前記ホスト・インターフェース・ネットワークの独立した物理リンクを提供することを含む、請求項７に記載の方法。
【請求項９】
連鎖された拡張可能な記憶システムであって、
複数の記憶装置であって、前記記憶装置の少なくとも１つは、前記複数の記憶装置の１つまたは複数に対するプライマリ・エージェントである、複数の記憶装置と、
前記少なくとも１つのプライマリ・エージェントにホスト・インターフェース・ネットワークを介して結合されたホスト装置
を備え、
前記少なくとも１つのプライマリ・エージェントは、
前記ホスト装置から、前記複数の記憶装置のうちの前記１つまたは複数の論理アドレスにアクセスするためのホスト要求を受信し、
前記論理アドレスに基づいて、前記複数の記憶装置のうちの前記１つまたは複数の少なくとも１つにおいて対応する物理アドレスを決定し、
前記物理アドレスに基づいて、前記ホスト要求および前記複数の記憶装置のうちの前記１つまたは複数の少なくとも１つにおいて前記決定された対応する物理アドレスのそれぞれに対応するサブ要求を生成し、
前記ホスト装置から独立して動作可能な記憶装置インターフェース・ネットワークを介して、前記少なくとも１つの記憶装置に前記サブ要求を送信し、
前記少なくとも１つの記憶装置から、前記サブ要求に応じたそれぞれのサブ状態を受信し、それぞれの各サブ状態に基づいて全体的な状態を決定し、前記ホスト装置に前記全体的な状態を提供する
ように構成され、
前記記憶装置インターフェース・ネットワークは、前記プライマリ・エージェントに前記記憶装置を結合するピアツーピア・ネットワークであり、
前記ホスト装置は、ネットワーク・スイッチを用いずに、前記１つまたは複数の記憶装置に結合され、前記記憶装置インターフェース・ネットワークは、前記ホスト・インターフェース・ネットワークに直接的にアクセス可能ではないことからなる、記憶システム。
【請求項１０】
前記ホスト装置と前記記憶装置との間の制御トラフィックは、前記ホスト装置と前記少なくとも１つのプライマリ・エージェントとの間だけにあり、データ帯域幅は、前記記憶装置の数に合わせて拡張し、
前記記憶装置インターフェース・ネットワークは、
前記１つまたは複数の記憶装置のサブセットにより高い帯域幅接続を選択的に提供することと、
前記１つまたは複数の記憶装置の集合的な提供可能な帯域幅に関連する帯域幅を前記ホスト・インターフェース・ネットワークに提供することと
のうちの少なくとも一方を行うように構成される、請求項９に記載の記憶システム。